Podtech/llm-jp-corpus-v4-ja_patent huggingface dataset:
(57)【要約】【課題】  定期券の上着のポケット等からの取り出しを不要とし、なおかついつでも必要なときに定期券が使用できる定期券入れを提供する。【解決手段】  リストバンド本体１にポケット２をとりつけることによって、ポケット２の中に定期券を入れて、定期券入れとして使用できるようにする。【選択図】  図１
2005082953.tif 000002
【特許請求の範囲】
【請求項１】
リストバンドに定期券が入るポケットをつけて定期券入れの機能を持たせたもの。
【発明の詳細な説明】
【技術分野】
【０００１】  本発明は、自動改札の出入りが容易なリストバンド型の定期券入れである。
【背景技術】
【０００２】  従来の定期券入れは、上着やズボン等のポケットに入れて携帯するか、又は手提げかばん等に入れて携帯していた。
【発明の開示】
【発明を解決しようとする課題】
【０００３】  近年、駅の改札システムの進歩・改良が著しく、定期券を改札機に軽く触れるだけで出入りができる自動改札機が急激に普及している。
しかし自動改札機がどんなに進歩しても、そこを通る者は、いちいち改札機に近づく度にポケットやかばん等から定期券を出さなければならず、朝・夕の混雑時には、改札機前で渋滞してしまうことが多い。よりスピーディに改札機を通過することに役立つ定期券入れの必要性が増してきた。
【課題を解決するための手段】
【０００４】  本発明は、リストバンドにポケットをつけ定期券を入れられるようにすることにより、改札機を通過する時はリストバンドを改札機に軽く触れるようにするだけで、改札の出入りができるようにした。
【発明の効果】
【０００５】  外から見ても少し大きめのリストバンドと認識されるだけで違和感はなく、腕にはめてみても柔らかい布製なので窮屈感や違和感は全くなく、駅改札を通過する際は、腕を改札機に軽くかざすだけでよい。定期券を紛失したり携帯し忘れることもなく非常に便利である。
【発明を実施するための最良の形態】
【０００６】以下、本発明を実施するための最良の形態について説明する。
リストバンド本体１のポケットとりつけ線３の部分にポケット２をとりつける。定期券入れ口４の部分をのぞいてポケット２の周囲をリストバンド本体１に縫いつける。
【図面の簡単な説明】
【０００７】
【図１】    本発明の正面図である。
【図２】    本発明の使用状態を示す図である。
【符号の説明】
【０００８】  １  リストバンド本体
２  ポケット
３  ポケットとりつけ線
４  定期券入れ口
５  定期券
【図１】
2005082953.tif 000003
【図２】
2005082953.tif 000004
(57)【要約】      （修正有）【課題】どんな身体状況においても、空間を設けた事により、あらゆる害虫に対し、ほぼ１００％身体への直接接触を防げ、尚かつ四季を問わず快適に作業が行なえる服。【解決手段】ネット１を２枚重ね、その中に空間使用材４を等間隔に配置することにより、あらゆる作業状況（腕，肩、足等を動かした場合）にも害虫との接触が防げ、夏場の暑い中での作業も頭から足元まで通気性抜群で快適に作業出来、着用する事により身体全体が大きく見え、遠方からでも容易に確認しやすい。【選択図】図１
2005082955.tif 000002
【特許請求の範囲】
【請求項１】
ネットを、つなぎ服状に作成し、股下より首部までファスナーとし、両手足の先端はゴム紐仕様で、全体を約２ｃｍの空間高を設けて、害虫より身体全体を守る防虫服。
【発明の詳細な説明】
【発明の詳細な説明】
【０００１】  あらゆる害虫から身を守り四季を問わず快適に作業できる。（通気性が良く夏でも蒸れないし、身体の曲げ部でも空間があるため害虫と接触しない。）
【技術分野】
【０００２】  ネット▲１▼を、つなぎ服仕様に作成し、前面にだけファスナー▲２▼を設け両手足の先端はゴム紐▲３▼にする、身体との空間は▲４▼の部品を使用し、それを服全体に５ｃｍ等間隔に熱、及び接着材を使い、固定配置した服。
【背景技術】
【０００３】  従来の防虫服は、顔、胴体等、部分にしかなく、身体の屈曲時に空間がないため、その部分が害虫（蚊、やハチ等は、生地の薄い作業服位では容易に毒針が通過する）に対して無防備だった。
【発明が解決しようとする課題】
【０００４】  従来の防虫服に対し、どんな動きをしても無防備の部分が無くなる。
【課題を解決するための手段】
【０００５】  ネット▲１▼を、つなぎ服仕様に作成し、前面にだけファスナー▲２▼を設け両手足の先端はゴム紐▲３▼にする、身体との空間は▲４▼の部品を使用し、それを服全体に５ｃｍ等間隔に熱、及び接着材を使い、固定配置した服。
【発明を実施するための最良の形態】
【０００６】  服全体を、１ｍｍ×１ｍｍのポリエステル製ネット▲１▼をダブルで使用してツナギ服にて作成し、その間へ直径２ｃｍ高さ２ｃｍ厚さ０．５ｍｍの円筒状のプラスチック製の部品を５ｃｍ等間隔で、熱と接着剤で固定して配置し、前面にだけ股下より首部までファスナーを取り付け、着脱を容易にし、両手足の先端はゴム紐を使い、顔の部分と尻部（顔部は視界が良好となり、尻部は休憩時に着用したままの状態で座っても違和感が無い）は１ｍｍの透明ビニール製品にて製作してある服。
【発明の効果】
いかなる使用状態時でも、害虫との接触がなく、夏でも涼しく、遠方からでも身体全体が大きく見えるため所在が判りやすく、汚れにも水で流せば清潔で手入れも楽である。
【図面の簡単な説明】
【図１】        本発明の正面図である
【図２】        本発明の側面図である
【図３】        本発明の断面図である
【図４】        空間を保つために使用する材料
【符号の説明】
▲１▼    ネット
▲２▼    ファスナー
▲３▼    ゴム紐
▲４▼    空間使用材
▲５▼    透明ビニール
【図１】
2005082955.tif 000003
【図２】
2005082955.tif 000004
【図３】
2005082955.tif 000005
【図４】
2005082955.tif 000006
(57)【要約】【課題】本発明は衣類において、製作者・着用者の自由な位置で、自由な曲線・直線で素材や色を分ける方法であり、つなぎ合わせる方法である  本発明の工程を製品に加えることにより、オーダーメードの製品のように、自由にデザインすることが可能である。【解決手段】図１は、本発明の製作工程の１例を図に表したものである。  工程１  ２枚の色や材質の違うＴシャツを用意する。  工程２  ２枚のＴシャツをずれがないように重ね合わせて、５の線のように好きな位置に２枚のＴシャツが同じように分断されるように、切断する。工程３  分断された状態である。  工程４  分断された２枚のＴシャツの好きなパーツを入れ替えて、接合し直す。その際、６の様に１０ｍｍくらいの帯を接合面の上に置き、縫い合わせることにより、重ね代による大きさの縮小が押さえられる。  【選択図】図１
2005082934.tif 000002
【特許請求の範囲】
【請求項１】
同じくらいの大きさの衣類を２枚以上重ね合わせて、適当な場所で同じ大きさのパーツに分かれるように切断する。同じ大きさのパーツを入れ替えて元の形状と同様に再接合することで、新たなデザインをされた衣類。
【請求項２】
請求項１で再接合する際、重ね代で衣類の大きさが元の大きさより小さくなるため、帯状の物を切断面に平行に重ね合わせて接合された衣類
【発明の詳細な説明】
【技術分野】
【０００１】
本発明は、衣類において各自制作者・着用者の好きな位置で色や素材を分けることができるようにしたものである。また本発明は、衣類を切り分けて再接合するが、大きさが元の大きさと変わらないように、接合面のには帯状のものを重ねて補強するものである。
【背景技術】
【０００２】
従来、Ｔシャツ・Ｙシャツなどの衣類のデザインは、プリントによる色分けか、決められた縫製箇所による色分け・素材分けにより行われている。その場合、ある一定の場所か、一定の方向にしか色分けをすることができないため、画一的な製品になってしまう。
【発明の開示】
【発明が解決しようとする課題】
【０００３】
解決しようとする問題点は、製作者・着用者の自由な位置で、自由な曲線・直線で衣類の素材や色を分ける方法であり、つなぎ合わせの方法である。
【課題を解決するための手段】
【０００４】
同じくらいの大きさの衣類を２枚以上重ね合わせて、適当な場所で同じ大きさのパーツに分かれるように切断する。切断面は曲線でも直線でも良く、各衣類の同じ位置で切り込みが入るようにする。そして、同じ大きさのパーツを入れ替えて元の形状と同様に再接合する。再接合する際、重ね代を取らなければならない為、衣類の大きさが元の大きさより小さくなる。そこで、帯状の物を切断面に平行に重ね合わせて、重ね代を取ることにより、元の大きさを変えずに接合できる。
【発明の効果】
【０００５】
衣類において機械による大量生産で、安くて品質の高い製品を供給されてきたが、画一的な製品にどうしてもなってしまう。本発明の１工程をその製品に加えることにより、オーダーメードの製品のように、自由にデザインすることが可能である。
【実施例１】
【０００６】
図１は、本発明での製作１例を図に表したものである。  工程１  ２枚の色や材質の違うＴシャツを用意する。  工程２  ２枚のＴシャツをずれがないように重ね合わせて、５の線のように好きな位置に２枚のＴシャツが同じように分断されるように、切断する。工程３  分断された状態である。  工程４  分断されたパーツを入れ替えて、接合し直す。その際、６のように１０ｍｍくらいの帯を接合面の上に置き、縫い合わせることにより、重ね代による大きさの縮小が押さえられる。
【図面の簡単な説明】
【０００７】
【図１】実施方法を示した説明図である。（実施例１）
【図１】
2005082934.tif 000003
(57)【要約】【目的】  安価で簡単に塗布でき寿命の長い撥水剤を提供する。【構成】  撥水性を発揮するメタキシレンヘキサクロライドを中核とし、これに少量のフッ化水素酸、メチルハイドロジェンシリコーンオイル、ポリテトラフルオロエチレンを加え、更に、ポリメチルヒドロシロキサンを数滴加えたものを２種類のメタクリル酸で撥水性の調整をし、これに溶剤としてのキシレンを加え、更にこれにメタノールとエタノールとのアルコール混合液で希釈する。  【選択図】  なし【特許請求の範囲】
【請求項１】
撥水性を有するメタキシレンヘキサクロライドを中心とし、これに少量のフッ化水素酸、メチルハイドロジェンシリコーンオイル、ポリテトラフルオロエチレンを加え、更に、ポリメチルヒドロシロキサンを数滴加えたものをメタクリル酸２−ヒドロキシエチルおよびメタクリル酸グリシジルで撥水性の調整をし、これに溶剤としてのキシレンを加え、更にこれにメタノールとエタノールとのアルコール混合液で希釈した撥水剤。
【請求項２】
前記撥水剤を有するメタキシレンヘキサクロライド、フッ化水素酸、メチルハイドロジェンシリコーンオイル、ポリテトラフルオロエチレン、ポリメチルヒドロシロキサンのうち、メタキシレンヘキサクロライドの添加量を９０重量％以上とした請求項１記載の撥水剤。
【発明の詳細な説明】
【技術分野】
【０００１】
本発明は、自動車、ビルの窓ガラス、家屋の外壁等に塗布して汚れを防ぐ撥水剤に関する。
【背景技術】
【０００２】
降水時の水滴の付着を防止するために光触媒の超親水性を利用したもの、あるいは撥水性の防水液は多数存在するが、いずれも寿命が短く（１〜２週間程度）比較的高価であった。
【０００３】
更に、真空蒸着により撥水膜を付着する方法も実施されているが、この場合でも５〜６ヶ月で効果が消失しまっていた。  
【発明の開示】
【発明が解決しようとする課題】
【０００４】
本発明は従来存在する防水液の寿命を長くするとともに安価で取り扱いやすい撥水剤を提供することを課題とする。
【課題を解決するための手段】
【０００５】
そこで、本発明は撥水性を有するメタキシレンヘキサクロライドを中心とし、これに少量のフッ化水素酸、メチルハイドロジェンシリコーンオイル、ポリテトラフルオロエチレンを加え、更に、ポリメチルヒドロシロキサンを数滴加えたものをメタクリル酸２−ヒドロキシエチルおよびメタクリル酸グリシジルで撥水性の調整をし、これに溶剤としてのキシレンを加え、更にこれにメタノールとエタノールとのアルコール混合液で希釈した。
【０００６】
更に、前記撥水剤を有するメタキシレンヘキサクロライド、フッ化水素酸、メチルハイドロジェンシリコーンオイル、ポリテトラフルオロエチレン、ポリメチルヒドロシロキサンのうち、メタキシレンヘキサクロライドの添加量を９０重量％以上とすることが望ましい。
【発明の効果】
【０００７】
木材、セメント、ガラス板等に付着する雨水、汚水等を水玉として除去できその寿命が３年以上と長く、しかも安価である。  
【発明を実施するための最良の形態】
【０００８】
撥水性を発揮するメタキシレンヘキサクロライドの重量比３０に対するフッ化水素酸、メチルハイドロジェンシリコーンオイル、ポリテトラフルオロエチレンのそれぞれの重量比を１以下として混合し、更にこの撥水性発揮混合液に対してポリメチルヒドロシロキサンを微少（数滴）加え、これらの溶液に対して撥水性調整用として２種類のメタクリル酸（グリシジル、２−ヒドロキシエチル）を撥水性発揮混合液に対して約半分（重量比）程加え、更に溶剤としてのキシレン（Ｐキシレン）を撥水性発揮、調整混合液に対して２／３重量比程加えて約２０時間撹拌して弱酸性（ＰＨ４．５〜６．５）の溶液とし、これらをメタノールとエタノールのアルコール混合液で希釈する。
【０００９】
このようにして調合した撥水剤は、透明溶液であり、木材、セメント、ガラス板等の被膜形成材に普通のスポンジ、布等により塗布できるばかりでなく、スプレーにより塗布できる。この溶液は人体に対して毒性は少なく平均雨水玉性１６８°となり、付着する雨水、汚水等を水玉として皮膜形成材から完全に除去でき、被膜形成材上の塗装膜を保全するばかりでなく、静電気の発生を防ぎ、紫外線をカットし、その光沢性、耐熱性を保全する。また、塗布後自然乾燥で１５〜２０分で仕上げることができる。この撥水材は塗布すると、３層の塗膜が形成され、数滴加えられるポリメチルヒドロシロキサンは数千のオリゴマーでモノマーを重合し、分子をカルボキシメチル基で置換え硬いセグメントとなり、疎水基として分岐を持つ不飽和結結合を有するアルキル鎖を使用し、疎水基−親水基の間にエチレンオキシド基を導入している。温度−２０℃〜＋９０℃の間で使用でき、時に炭化水素鎖の長いものは撥水性が強いので炭化水素鎖の長いものを選定する必要がある。
【実施例１】
【００１０】
下記の成分の撥水剤を準備した。
【００１１】
メタキシレンヘキサクロライド（４０〜５０ｇ）、フッ化水素酸（１〜３ｇ）、メチルハイドロジェンシリコーンオイル（０．１〜４ｇ）、ポリテトラフルオロエチレン（０．１〜１ｇ）、メタクリル酸（２−ヒドロキシエチル）（１〜5ｇ）、メタクリル酸（グリシジル）（２０〜３０ｇ）及びキシレン（Ｐキシレン）（５０〜６０ｇ）の混合液を約２０時間撹拌して弱酸性（ＰＨ４．５〜６．５）の透明混合溶液を得た。これにエタノール２０〜５％、メタノール８０〜９５％のアルコール混合液（３０〜４０ｇ）で希釈した。
【００１２】
これをガラス板上に乾いた布で塗布し、その上に水を数滴垂らしたら平均水玉性１６８°を得、傾斜させたら全ての水滴が後垂なく落下した。
(57)【要約】【目的】  安価で簡単に塗布でき寿命の長い親水剤を提供する。【構成】  ラダー型シリコーンオリゴマ−メチルフェニルレジン、ポリオキシエチレンオクチルフェニルエーテル、オレイン酸ナトリウム又はアルキル酸ナトリウムをメタノールとエタノールとのアルコール混合液で希釈する。【選択図】  なし【特許請求の範囲】
【請求項１】
５〜１５重量％のラダー型シリコーンオリゴマ−メチルフェニルレジンに２０〜３０重量％のポリオキシエチレンオクチルフェニルエーテル、５０〜７０重量％のオレイン酸ナトリウム又はアルキル酸ナトリウムの混合液をメタノールとエタノールとのアルコール混合液で希釈したことを特徴とする親水剤。
【請求項２】
請求項１の混合液に水和剤としての少量の水酸化リチウムを加え、更にアクリルアミド及び塩化カリウムの少なくとも一つの薬剤を加えた請求項１記載の親水剤。
【請求項３】
請求項２の親水剤の少量のポリテトラフルオロエチレン（ＰＴＦＥ）を加えた請求項２記載の親水剤。
【発明の詳細な説明】
【技術分野】
【０００１】
本発明は、ガラス、木材、セメント上に塗布して水滴付着防止をするための親水剤に関する。
【背景技術】
【０００２】
超親水性のある物質として光触媒が知られているが、防汚という効果は十分でなく価格との問題もあり市場性も十分でない。
【０００３】
更に、現在数種の親水性の防水液は存在するが、その数は少なく、いずれも寿命が短く、レンジ又シリカ系の親水性の溶液の市販品は皆無であった。
【０００４】
特に、降雨又は水滴付着後に自動車のボディ、家屋、ビルの窓ガラス、外壁に汚れが付着し、それを洗浄するのに手間と費用を要しており、これに対して十分な効果を発揮する親水剤は存在しなかった。
【発明の開示】
【課題を解決するための手段】
【０００５】
そこで、本発明は５〜１５重量％のラダー型シリコーンオリゴマ−メチルフェニルレジンに２０〜３０重量％のポリオキシエチレンオクチルフェニルエーテル、５０〜７０重量％のオレイン酸ナトリウム又はアルキル酸ナトリウムの混合液をメタノールとエタノールとのアルコール混合液で希釈するようにした。
【０００６】
更に、この混合液に水和剤としての少量の水酸化リチウムを加え、更にアクリルアミド及び塩化カリウムの少なくとも一つの薬剤を加えてもよい。更にこの親水剤に少量のポリテトラフルオロエチレン（ＰＴＦＥ）を加えてもよい。
【発明の効果】
【０００７】
本発明の親水剤は安価に製造でき、ガラス、外壁に簡単に塗布でき、これらに付着した水滴は直ちに流れ落ち、水滴の付着が長期間防止できるという効果を奏する。
【発明を実施するための最良の形態】
【０００８】
壁面に堅く付着する接着膜を形成する作用としてのラダー型シリコーンオリゴマ−メチルフェニルレジン（５〜１５重量％）に洗浄剤としてのポリオキシエチレンオクチルフェニルエーテル（２０〜３０重量％）と、界面活性作用としてのオレイン酸ナトリウム又はアルギル硫酸ナトリウム（５０〜７０重量％）を加え、これらの混合液を多量のメタノールとエタノールとのアルコール混合液で希釈し、これらに水和剤として少量の水酸化ナトリウム、更にはアクリルアミド、塩化カリウムを加え、好ましくは更に少量のポリテトラフルオロエチレン（ＰＴＦＥ）を加える。
【０００９】
このような成分の親水剤は、透明液状であり、スプレー装置又はスポンジ等で自動車の窓、家屋、ビルの窓、外壁等に塗布される。常温で５〜１０分で自然乾燥でき、無毒性の中性（ＰＨ５〜７）である。
【実施例１】
【００１０】
先ず、以下に示す親水剤を準備した。
【００１１】
ラダー型シリコーンオリゴマ−メチルフェニルレジン、ポリオキシエチレンオクチルフェニルエーテル、オレイン酸ナトリウム又はアルキル酸ナトリウムの混合割合を１：２：４（重量％）とする混合液を調合し、これに少量の水酸化ナトリウム、アクリルアミド、塩化カリウム及びポリテトラフルオロエチレンを加え、これらの溶液を重量で２〜３倍のアルコール混合液で希釈した。このアルコール混合液のメタノールとエタノールの混合割合は８０〜９５％：２０〜５％である。
【００１２】
この親水剤をガラス上に乾いたスポンジで手動塗布し、その膜厚は２０ミクロンとなり、粘度は０．０３であり１０分間自然乾燥した。この上に雨水を数滴垂らしたら、平滑膜（約２５ミクロン）となり、ガラス板を斜めにしたら水の後垂もなく流落した。
(57)【要約】【課題】  本発明の球形自転軸移動式弁により、一本のレバー操作で給水・給湯の混合調整及び流量調節、並びにカラン・シャワーへの吐出切換ができるシングルレバー水栓である。非力な子供・高齢者・身体障害者の方に使用が容易な水栓を提供する。【解決手段】  本発明は、その欠点を除くために考案されたもので、それを図面で説明すれば、（イ）本体ケーシング（１）とケーシングカバー（２）。（ロ）自転軸（３ａ）付き球形弁体（３）。（ハ）操作用レバー（４）。（ニ）ＩＮ側、給水口（５）と給湯口（６）。（ホ）ＯＵＴ側、カラン（７）とシャワー（８）。  以上のような構成よりなる球形自転軸移動式弁、シングルレバー水栓である。【選択図】  図１
2005315395.tif 000002
【特許請求の範囲】
【請求項１】
（イ）自転軸（３ａ）を有した球形弁体（３）。（ロ）その自転軸（３ａ）が移動する。以上の如く構成された球形自転軸移動式弁。
【発明の詳細な説明】
【技術分野】
【０００１】  この発明は、一本のレバー操作で給水・給湯の混合水の温度調整及び流量調節ができ、尚且つ、カラン及びシャワーへの二方向の吐出ができるシングルレバー水栓に関するものである。
【背景技術】
【０００２】  従来水道の水栓は、開閉操作がネジ式の蛇口が主流であった。給水・給湯を混合する場合、各々の蛇口を任意で調整し使用していた。  最近では、給水・給湯の混合水が調整できる一方向吐出用のレバー水栓があり又、カラン・シャワーへの二方向吐出の場合、吐出口選択用コック弁にて切換えていた。つまり、混合水用と吐出口選択用の２つの水栓が必要だった。
【発明の開示】
【発明が解決しようとする課題】
【０００３】  現在でも、浴場・洗面所・炊事場・公共の場等に蛇口式水栓が多く使用されています。この蛇口式水栓を大人の力で強く締められると非力な子供・高齢者・身体障害者の人達には、蛇口を開けることが困難です。又、浴場での湯加減に両手を使い適温調整に時間がかかる欠点がある。  そこで本発明は、その不便を除くため、万人が容易に操作できるシングルレバー水栓を考えた。
【課題を解決するための手段】
【０００４】  本発明は、その欠点を除くために考案されたもので、それを図面で説明すれば、（イ）本体ケーシング（１）とケーシングカバー（２）。（ロ）自転軸（３ａ）付き球形弁体（３）。（ハ）操作用レバー（４）。（ニ）ＩＮ側、給水口（５）と給湯口（６）。（ホ）ＯＵＴ側、カラン（７）とシャワー（８）。  以上のような構成よりなる球形自転軸移動式弁、シングルレバー水栓である。
【発明を実施するための最良の形態】
【０００５】  次に本発明の実施の形態について説明する。  この発明は、自転軸を有する球形弁体の、その自転軸を移動させることで弁部の接する面を多様化した球形自転軸移動式弁である。又、レバー操作で簡単に切換ができることを特徴とするシングルレバー水栓。例えば、カラン・シャワー一体の設備が必要な理髪店・浴場等には最適である。（イ）蛇口式水栓を大人の力で強く締められると非力な子供・高齢者・身体障害者の人達には、蛇口を開けることが困難です。（ロ）給水・給湯が蛇口式の浴場では湯加減に両手を使い適温調整に時間がかかる。（ハ）最近、給水・給湯の混合水用シングルレバー水栓からカラン・シャワーへ吐出選択用コック弁付きの水栓がありますが、いずれも２つの水栓が必要である。【０００６】  この考案は、その欠点を除くために、（イ）水栓操作をレバー式（４）にした。（ロ）一本のレバー操作で給水・給湯の混合水をカラン及びシャワーへ切換できるシングルレバー水栓、すなわち、球形自転軸移動式弁である。【０００７】  この使い方を説明する。（イ）操作用レバー（４）が中央の位置では、左右水平に動かしても全閉止。（ロ）操作用レバー（４）が最上向きの位置では、シャワー吐出全開。（ハ）操作用レバー（４）が最下向きの位置では、カラン吐出全開。（ニ）温度調整は、（ロ）・（ハ）の各位置で、水平に左へ給湯、同じく右へ給水、中央付近では温水の各吐出。（ホ）流量調節は、（ロ）・（ハ）の各位置で中央方向へ微動に戻す。  本発明は、以上の構成からなるので非力な子供・高齢者・身体障害者の方でも簡単に操作できます。
【発明の効果】
【０００８】  本発明は、このような構成だから、給水・給湯の混合調整及び流量調節並びにカラン・シャワーへの吐出切換が一本のレバー操作でできるため、非力な子供・高齢者・身体障害者の方に使い易く、与える効果がある。
【図面の簡単な説明】
【０００９】
【図１】本発明の断面図である。
【図２】本発明の正面図である。
【図３】本発明の背面図である。
【図４】本発明の平面の断面図である。
【図５】本発明の実施例、シャワー吐出時の断面図である。
【図６】「図５」の正面図である。
【図７】「図５」の弁体位置の正面図である。
【図８】「図１」の弁体位置の正面図である。
【符号の説明】
【００１０】（１）本体ケーシング、（２）ケーシングカバー、（３）球形弁体、（３ａ）自転軸、（４）操作用レバー、（５）給水口、（６）給湯口、（７）カラン、（８）シャワー、（９）アジャストピン、（９ａ）スプリング、（１０）特殊ニップル、（１１）ボルト孔、（１２）シールパッキン、（１３）ストッパー、
【図１】
2005315395.tif 000003
【図２】
2005315395.tif 000004
【図３】
2005315395.tif 000005
【図４】
2005315395.tif 000006
【図５】
2005315395.tif 000007
【図６】
2005315395.tif 000008
【図７】
2005315395.tif 000009
【図８】
2005315395.tif 000010
(57)【要約】「目的」流体の活性化、特に上水道水の活性化、即ち浸透力・溶解力・洗浄力浄化力を蘇生させることです。  「ＭＨＤ」理論による磁気活性水装置は磁力線により「電子励気作用」が発生しそのエネギーで活性化させると思います。磁極には、Ｎ極とＳ極があります、この場合の磁界ですが、Ｎ極またわＳ極が時間と伴に変化しない磁界を静磁界といい、これに対して磁界が変化したり磁極が入れ替わったりする磁界を動磁界といっている。その動磁界の中に磁極が時間と伴に絶えず入れ替わる磁界を交番磁界と呼んでいます。磁気活性水装置による活性化にはこの交番磁界が有効で大切な磁界です。本発明の流体移送塩ビ管の中の磁界は交番磁界が充満しています。分子活動の激しい流体を環境磁気より受ける影響から解放し、電荷的自由度を増加させ、分子活動を活性化させて流体物の性状を変化促進させることとする。「構成」塩ビ管（１）の外側（２）と内側（３）の肉厚部（４）の中心部に針金状の強磁性金属（５）を組入れ内蔵させた。「選択図」    図１【特許請求の範囲】
【請求項１】
塩ビ管の外側と内側との間にある肉厚部の中心に、針金状の鉄線を、組入れ内蔵した塩ビ管。
【請求項２】
塩ビ管の外側と内側との間にある肉厚部の中心に、針金状の強磁性金属を組入れ内蔵した塩ビ管。
【請求項３】
上記塩ビ管の口径及び種類は規格品のすべてとする。
【請求項４】
上記塩ビ管以外の管の素材は、鋼管を除き、流体移送管の製造に使用される素材のすべてとする。
【請求項５】
請求項１・２に記載の針金状の鉄線及び強磁性金属に替えて針金状の磁石とする。
【請求項６】
上記請求項１・２・３・４・５に装着する磁気活性化装置は磁気誘導式流体磁気活性化装置とする。
【発明の詳細な説明】
【発明の詳細な説明】
この発明は磁気誘導現象を流体磁気活性化装置に利用する目的でヨーク（継鉄）として作用させるために、塩ビ管に、鉄及強磁性金属を針金状にして組入れ内蔵させた流体移送管即ち塩ビ管です。これは磁石の磁力を有効に取出し、小さな断面積でも比較的多くの磁力線を通すことができます。
透磁率の関係で、鉄針金の中に無数のミニ磁石が存在し、これが磁石の磁力を受けることにより整列され、良好な磁気通路を形成すると考えられ、鉄針金内に新しい磁石が形成されます。
一般的にこの状態を磁気誘導といっています。
この磁気誘導により、本発明の塩ビ管に磁石を巻付け装着すると管に組入れ内蔵されている針金状の強磁性金属中の無数のミニ磁石が磁力を受け新しい磁石を形成して交番磁界を形成する。
水のような流体がその磁界を通過するとき流体分子が励起されて不安定な活性状態を作り出すためいろいろな生物学的変化をもたらします。このため水などの流体が活性化されると、その中に含まれるフッ素、硝酸チッ素、中性洗剤、悪臭などを取り除く作用があり、質の高い水道水を造り出すことができる。
本発明はこのような構造であるので、安全で経済的な循環形社会に役立ち地球環境を保全する装置です。
【図面の簡単な説明】「図１」
本発明の斜視図である。
【符号の説明】
１．は塩ビ管
２．は塩ビ管の外側
３．は塩ビ管の内側
４．は塩ビ管の肉厚部
５．は針金状の強磁性金属
【図１】
2005315396.tif 000002
(57)【要約】 【課題】  安価かつ容易に被締結物を締結することができる緩み止め付ナットを提供する。【解決手段】  本発明の緩み止め付ナット１は、ナット６の片面上の被締結物との接触部分に、嫌気性接着剤２を塗布したものである。【選択図】  図１
2005315363.tif 000002
【特許請求の範囲】
【請求項１】
ナットの片面上の、被締結物との接触部分に、嫌気性接着剤を塗布したことを特徴とする緩み止め付ナット。
【発明の詳細な説明】
【技術分野】
【０００１】
本発明は、様々な部材の締結用に広く使用されている、ボルトとナットからなるねじに関するものであり、特に、被締結物が金属材料の場合に適する緩み止め付ナットに関する。
【背景技術】
【０００２】
従来から、電気電子機器等において、本体、ケース等の被締結物どうしをねじ等により締結している。
【０００３】
図３に、従来の一般的なボルト及びナットを用いて、被締結物を締結した状態の側面図を示す。図３において、４は、ボルト、５は、被締結物、６は、ナットである。図３に示すように、被締結物５どうしの締結は、被締結物５に設けられた貫通孔に、ボルト４のねじ切りされた円柱状の軸部を挿入し、被締結物５から突出している軸部の先端にナット６をねじ込んで締め付けることにより行われる。
【０００４】
しかし、従来のボルト４及びナット６を用いて被締結物５を締結している場合、振動その他の原因で、点線で示すような矢印１０の方向にナット６の戻り回転が発生し、ねじの緩みが発生していた。この点が、ねじを用いた締結における大きな問題点として挙げられ、ねじに緩み止め効果を持たせることは、従来から求められてきた課題となっている。
【０００５】
その対策の一例として、特許文献１に、ねじを形状記憶合金で作製し、締結直後に加熱することでねじ山形状を変形させ、緩み止め効果を持たせる方法が提案されている。
【０００６】
【特許文献１】特開昭６３−２８０９０５号公報
【発明の開示】
【発明が解決しようとする課題】
【０００７】
しかしながら、上記の従来例の場合、形状記憶合金の材料費がかなり高価で、かつ加工が容易でない形状記憶合金にねじ山加工を施さなければならないという欠点があった。
【０００８】
本発明では、このような欠点を改善した、安価かつ容易に被締結物を締結することができる、ゆるみ止め効果を持った緩み止め付ナットを提供することを目的とする。
【課題を解決するための手段】
【０００９】
本発明は、ナットの片面上の、被締結物との接触部分に、嫌気性接着剤を塗布したことを特徴とする緩み止め付ナットである。
【００１０】
即ち、本発明では、締結前に、ナット上の被締結物との接触面に、予め嫌気性接着剤を塗布しておく。このようにすることにより、ねじの締結後に、嫌気性接着剤が外気から遮断されることで硬化し、緩み止めの作用を果たす。
【発明の効果】
【００１１】
以上のように、本発明による緩み止め付ナットを用いれば、ねじの締結後にナット上の被締結体との接触面の嫌気性接着剤が硬化することにより、締結後に緩み止め効果を持たせることができる。本発明では、形状記憶合金を用いる必要がないため、高価にならずに済み、また、形状記憶合金を加工もしなくてよいので、安価かつ容易に被締結物を締結することができる。
【発明を実施するための最良の形態】
【００１２】
以下、本発明の一実施の形態を、図面を用いて説明する。
【００１３】
図１は、本発明による緩み止め付ナットを示す斜視図である。図２は、図１の緩み止め付ナットを用い、一般的なボルトと共に被締結物を締結した状態を示す側面図である。
【００１４】
図１に示すように、本発明の緩み止め付ナット１は、ナット６の表面（片面）上で、締結時に被締結物と接触する部分に嫌気性接着剤２を塗布したものである。塗布するのは、片面の全部であってもよいし、一部であってもよく、締結後に締結物と緩み止め付ナット１の界面からはみ出さないように、適宜厚さ、量等を調整して塗布する。
【００１５】
嫌気性接着剤には、アクリル系ポリマー、クロロプレンゴムやエチレンプロピレン共重合体ゴムをベースとした嫌気性熱硬化型接着剤もしくは室温硬化型接着剤等を用いることができる。媒体が有機溶剤のものと水性溶剤のものを用いることができるが、近年の環境汚染及び人体に対する毒性の問題から、水性の接着剤を用いることが好ましい。例えば、アクリロイル基またはメタクリロイル基を有する単量体を主体とし、必要に応じて過酸化物及び還元剤等が配合された接着剤等である。
【００１６】
次に、この緩み止め付ナット１の使用時の状態を、図２により説明する。図２に示すように、被締結物５に設けられた貫通孔５ａに、一般のボルト４のねじ切りされた円柱状の軸部４ａを挿入し、被締結物５から突出している軸部４ａの先端に本発明の緩み止め付ナット１をねじ込んで締め付け、被締結物５どうしをボルト４の頭部４ｂと緩み止め付ナット１と間で強固に締結される。
【００１７】
即ち、一般のボルト４と共に被締結物５を締結した時、緩み止め付ナット１の表面に塗布されていた嫌気性接着剤は、外気から遮断されるために硬化し、硬化物３となって緩み止め付ナット１が戻り回転することを抑える。これにより、このねじの緩みの発生並びにねじの緩みによる被締結物の緩みの発生を防止することができる。
【００１８】
なお、嫌気性接着剤の性質上、被締結物５の材質が金属材料であることが、嫌気性接着剤がより硬化しやすくなるため望ましい形態と言える。
【図面の簡単な説明】
【００１９】
【図１】本発明による緩み止め付ナットを示す斜視図である。
【図２】図１の緩み止め付ナットを用い、一般的なボルトと共に被締結物を締結した状態を示す側面図。
【図３】従来の一般的なボルト及びナットを用いて、被締結物を締結した状態を示す側面図。
【符号の説明】
【００２０】
１    緩み止め付ナット
２    （硬化前の）嫌気性接着剤
３    硬化物
４    ボルト
４ａ    軸部
４ｂ    頭部
５    被締結物
５ａ    貫通孔
６    ナット
１０    矢印
【図１】
2005315363.tif 000003
【図２】
2005315363.tif 000004
【図３】
2005315363.tif 000005
(57)【要約】【課題】  可燃性冷媒を作動冷媒として使用する空気調和装置において、安全な構成でマイナスイオン発生機能をもたせること。【解決手段】  可燃性冷媒を作動冷媒とする熱交換器１３をそなえた室内機ケーシング１内に形成される空気流通路の適所に、マイナスイオンを自己発生する機能をもつ手段を設ける。具体例としては、粉末状にしたマイナスイオン発生物質をルーバ１６の表面に塗布したり、空気吹出口１２の適所にマイナスイオン発生物質を収容した容器１７を設置したりするとよい。【選択図】        図１
2005315527.tif 000002
【特許請求の範囲】
【請求項１】
可燃性冷媒を作動冷媒とする熱交換器（１３）をそなえた室内機ケーシング（１）内に形成される空気流通路（１０）の適所に、マイナスイオン自己発生手段を設けたことを特徴とする空気調和装置。
【請求項２】
マイナスイオン自己発生手段が前記室内機ケーシング内に形成される空気流通路（１０）の空気吹出口（１２）付近に設けられていることを特徴とする請求項１記載の空気調和装置。
【発明の詳細な説明】
【技術分野】
【０００１】
本願発明は、可燃性冷媒を作動冷媒とする空気調和装置に関するものである。
【背景技術】
【０００２】
室内居住者にたとえば森林浴のような爽快感を与えるため、空気調和装置の室内機にマイナスイオン発生装置を組付けることが提案されている（たとえば、特開２００３−２３２５６０＝特許文献１）。一方、最近では地球環境への配慮から、空気調和装置用の冷凍装置としてフロン系の冷媒を使用しないで、プロパンガス等の可燃性冷媒を使用することが行われている。ところで、マイナスイオン発生装置は、上記特許文献１の段落「００５０」にも示されているように、高電圧部を有する電気的なイオン発生装置から構成されるものが一般的であるが、このようなイオン発生装置を可燃性冷媒を作動冷媒とする空気調和装置の室内機に組付けると、作動冷媒漏洩の場合に着火する危険がある。
【０００３】
【特許文献１】特開２００３−２３２５６０
【発明の開示】
【発明が解決しようとする課題】
【０００４】
本願発明は、上記のような事情に鑑みてなされたもので、可燃性冷媒を作動冷媒とする空気調和装置であっても、作動冷媒の漏洩に際してイオン発生装置を原因として同作動冷媒に着火するおそれのないようにすることを目的としてなされたもので、次のような手段により構成されている。
【課題を解決するための手段】
【０００５】
先ず、本願発明の空気調和装置は、プロパンガス等の可燃性冷媒を作動冷媒とする熱交換器をそなえたものであることを前提とする。そして、そのような空気調和装置の室内機ケーシング内に形成される空気流通路の適所に、マイナスイオン自己発生手段を設けたことを基本的特徴とする。
【０００６】
マイナスイオン自己発生手段としては、マイナスイオンを自己発生する性質のある特殊な物質、たとえばトルマリン鉱石、モズナ石、風化サンゴ、等が使用可能であり、同マイナスイオン発生物質を設置すべき位置としては、空気吹出し口の内面、風向調節用のルーバの表面等が考えられる。
【発明の効果】
【０００７】
本願発明は、可燃性冷媒を作動冷媒とする空気調和装置において、その空気流通路の適所に、マイナスイオン自己発生手段を設けたものであるから、作動冷媒（可燃性冷媒）の漏洩時にも、マイナスイオン発生源が原因となって火災又は爆発事故が発生することがない、という効果がある。その場合において、マイナスイオン自己発生手段を空気吹出し口付近に設置した場合は、発生したマイナスイオンが効率よく吹出し空気流によって室内空間に拡散供給される効果がある。
【発明を実施するための最良の形態】
【０００８】
次に、本願発明の好適な実施例について説明すると、図１には本願発明の実施例にかかる空気調和装置の内部構造が示されており、図１において符号１は空気調和装置の室内機ケーシングである。同ケーシング１には空気吸込口１１と空気吹出口１２があり、その間に形成される空気流通路１０に熱交換器１３、ファン１４、電装品箱１５等が設置される。空気吹出口１２には空気の吹出し方向をコントロールするルーバ１６が設けられている。
【０００９】
本願発明では、図示例示のような空気調和装置において、空気吸込口１１から空気吹出口１２に至る空気流通路１０の適所において電気的手段によらないで、それ自体でマイナスイオンを自己発生する手段（物質）を設置するものであるが、これを図示実施例についていうと、次のような方法がある。
【００１０】
（１）  粉末状にしたマイナスイオン発生物質をルーバ１６の表面の一部又は全体に塗布する。
【００１１】
（２）  粉末状にしたマイナスイオン発生物質をルーバ１６を構成する素材（プラスチック）中に混入する。
【００１２】
（３）  空気吹出口１２の適所にマイナスイオン発生物質を収容した容器１７を設置する。
【００１３】
（４）  粉末状のマイナスイオン発生物質を塗布又は混入したシート状部材１８を空気吹出口１２の適所、たとえば底部全長に亘って設置する。
【００１４】
上記（１）ないし（４）は、それぞれ単独で実施してもよく、あるいは、それらの２以上を適宜組合わせて実施してもよい。
【図面の簡単な説明】
【００１５】
【図１】本願発明の実施例にかかる空気調和装置の内部構造図である。
【符号の説明】
【００１６】
１は空気調和装置のケーシング、１１は空気吸込口、１２は空気吹出口、１３は熱交換器、１４はファン、１５は電装品箱、１６はルーバ、１７はマイナスイオン発生物質の容器である。
【図１】
2005315527.tif 000003
(57)【要約】【課題】これまでの感震型電源遮断装置は市販品の地震検知器を使用しているものが多く、傾斜センサと比較した場合、地震検知器の方が形状的に大きく、且つ高価である。【解決手段】傾斜センサを使用し、マイクロコンピュータとマイクロコンピュータに接続された傾斜センサとマイクロコンピュータに制御されるリレーを備え、傾斜センサからの出力信号をマイクロコンピュータにて監視する方式を採用することにより、安価で小型の感震型電源遮断装置を製作することが可能である。【選択図】図３
2005315627.tif 000002
【特許請求の範囲】
【請求項１】
マイクロコンピュータと該マイクロコンピュータにより接続された傾斜センサと前記マイクロコンピュータに制御されるリレーとを備えた電源遮断装置において、前記傾斜センサからの出力信号を前記マイクロコンピュータにて監視し、前記傾斜センサ内の導電性ボールの動作パターンにより、家屋が傾斜又は倒壊であること、又は、地震であること、又は、地震中に家屋が傾斜又は倒壊であることを検知することができ、生活における振動においては誤動作のない感震型電源遮断装置。
【発明の詳細な説明】
【技術分野】
【０００１】
この発明は、設定された地震の強さを検知して動作する電源遮断装置に関する。
【背景技術】
【０００２】
従来より地震を検知して電源を遮断させる装置は存在するが地震を検知する方式が、これまでのものは、市販品の地震検知器を内蔵しているものがほとんどで、単純な傾斜センサを利用しマイクロコンピュータに内蔵されているソフトウェアにより振動の状態を判断する方式の電源遮断装置は、他にはない。
【発明の開示】
【発明が解決しようとする課題】
【０００３】
これまでの感震型電源遮断装置は市販品の地震検知器を用いているものが多く、傾斜センサと比較した場合、地震センサの方が形状的に大きく且つ高価である。
【課題を解決するための手段】
【０００４】
上記、課題を解決するため傾斜センサを使用しマイクロコンピュータにて、傾斜センサからの出力信号を監視する方式を採用することにより、より安価で小型の感震型電源遮断装置を製作することが可能となる。
【発明の効果】
【０００５】
以上の詳述どおり、本発明によれば、マイクロコンピュータと該マイクロコンピュータに接続された傾斜センサと前記マイクロコンピュータに制御されるリレーを備えた電源遮断装置を発明することにより、従来までのものより小型で安価な感震型電源遮断装置の製作が可能である。
【実施例１】
【０００６】
本発明を具現化した実施の形態を図面にもとづいて詳細に説明する。図１において傾斜センサの内部構造の一例を示す。１は導電性ボールを示す。２は上側導電性ケース示す。３は下側導電性ケースを示す。４は電極端子部を示す。振動を検知すると１の導電性ボールが転がり、２の上側導電性ケースと３の下側導電性ケース間に導通を検出することが可能となる。このような傾斜センサを用いて地震時の振動を検出することができる感震型電源遮断装置に利用する。
【実施例２】
【０００７】
図２に傾斜センサ単体での出力信号は、概ね次のようなパターンとなる。５は家屋が傾斜又は倒壊した時の出力信号、６は地震による出力信号、７は地震中に家屋が傾斜又は倒壊した時の出力信号、８は生活における振動による出力信号を示す。
【実施例３】
【０００８】
図３に３線式ＡＣ１００Ｖに接続される感震型電源遮断装置の一例を示す。図３中１３は傾斜センサを示し、１３が図２のような出力信号を出力した時、１２に示すマイクロコンピュータが常時、１３の傾斜センサの出力波形を監視しており、図２に示す傾斜センサ単体での出力信号のパターンに応じ、家屋が傾斜又は倒壊したこと、地震であること、地震中に家屋が傾斜又は倒壊したことを判断することができる感震型電源遮断装置を示す。
【図面の簡単な説明】
【０００９】
【図１】傾斜センサの内部構造
【図２】傾斜センサ出力信号の一例
【図３】３線式ＡＣ１００Ｖに接続される感震型電源遮断装置の一例
【符号の説明】
【００１０】
１．導電性ボール
２．上側導電性ケース
３．下側導電性ケース
４．電極端子部
５．地震による出力信号
６．傾斜した時の出力信号
７．地震により傾斜又は、倒壊した時の出力信号
８．生活による出力信号
９．漏電ブレーカ
１０．感震型電源遮断装置
１１．安定化電源
１２．マイクロコンピュータ
１３．傾斜センサ
１４．リレー
１５．３線式ＡＣ１００Ｖ
【図１】
2005315627.tif 000003
【図２】
2005315627.tif 000004
【図３】
2005315627.tif 000005
(57)【要約】      （修正有）【課題】交通渋滞を緩和するための迂回路や切り回しバイパスを設けるための用地がない場合に、それを解消する空中バイパスを提供する。【解決手段】道路占用幅を最小限にするため、一車線ごとの乗り入れ、降下する構造とし、上空にバイパスを作るための高架構造４とした。高架橋４は複線を上下２階建て構造４とし、乗り入れ口２、降下口１と多層高架橋４とを単車線昇降桟橋３により連絡する構造とする。単車線幅の昇降桟橋３と軽量長大径間の多層構造高架橋により、複線、複々線のバイパスを構成するものであり、バイパスをが交通渋滞を緩和するための迂回路や切り回しバイパスを単車線幅で昇降できる桟橋３と２階建て高架橋４により、道路切回し用バイパスを、道路上空に築造することにより、都市部の交通渋滞を緩和し、交通の利便性を高める。【選択図】図−３
2005315042.tif 000002
【特許請求の範囲】
【請求項１】
道路の上空切り回しバイパス用単車線ごとの昇降桟橋と多層高架橋
【発明の詳細な説明】
【発明の詳細な説明】
【産業上の利用分野】
【０００１】  この発明は、河川、道路、鉄道線路、未解決用地などの支障物件の上空に、車道を立体的に切り回すための、迂回道路であるバイパスを築造するために架設する単車線幅昇降桟橋と高架橋に関するものである。
【背景技術】
【０００２】    従来、交通渋滞を緩和するための迂回路や道路切り回しバイパスは平面的なものであった。また、道路自体が最低上下２車線を必要とするため２車線の占用幅が必要であった。そのため、交通混雑の激しい都市部では、バイパスの用地が乏しく、交通渋滞を緩和するための、道路整備は難しく、実質、高架橋や、立体交差橋は、築造ができなかった。
【発明が解決しようとする課題】
【０００３】これには次のような欠点があった。
（イ）平面的な切り回し用地がなく、バイパスは考えられなかった。
（ロ）最低必要占用幅は２車線であった。
（ハ）長期間にわたる交通止めや車線規制が必要であった。
（ニ）道路交通の工事期間中の仮切回しが困難であった。
（ホ）作業用地の確保が困難であった。
（ヘ）橋脚等の現地施工が多いため、長い工事期間が必要であった。
本発明は、これらの欠点を除くためのものである。
【課題を解決しようとする手段】
【０００４】（イ）道路占用幅を最小にするため、一車線ごとの乗り入れ、降下する構造とした。
（ロ）道路占用幅の上空にバイパスを作るための高架構造とした。
（ハ）高架橋は複線を上下２階建て構造とした。
（ニ）高架橋自体を、剛性の高い多層構造の合成桁とした。
（ホ）〔図−４〕〔図−５〕の８のプレートガーダーは、フランジ間隔の大きい背の高い桁とした。
（ヘ）橋桁は軽量で長径間の多層構造とした。
（ト）桁の部材は工場加工製作とし、現場運搬組み立てとした。
【作用】
【０００５】（イ）単車線の占用幅で施工できる構造のため、一般交通への影響を少なくできる。
（ロ）単車線の占用幅の上空に多層構造物をつくるため、バイパス用地は必要ない。
（ハ）高架構造は複線を上下２階建て構造としたため、単車線幅で、複車線を確保できる。土地の有効利用ができる。
（ニ）軽量で、剛性の高い長径間多層合成橋桁構造とすることで、橋脚が少ない。
（ホ）現場施工が少なく、工事期間を短縮できる。
（ヘ）工場生産とするため、橋桁を規格化させ、製品化が可能となる。
（ト）防護塀とカバーにより、騒音や排気ガスの影響を小さくすることができる。
【実施例】
【０００６】  以下、本発明の実施例について説明する。
（イ）道路中央に単車線幅を作業基地およびバイパス用地として確保する。
（ロ）〔図−１〕は、片側半分を表示しており、２の１階の進入口から乗り入れ、昇降桟橋、多層高架橋、反対側の昇降桟橋、１の出口へと進行する。
（ハ）多層高架橋の橋桁構造は、２階建ボックスラーメン構造であるが、活荷重は床版により橋桁に伝達され、長大スパンの橋桁とし、橋脚にて支持する構造である。
（ニ）〔図−４〕の橋桁構造は２階建てであるが、実質は、単純ボックスラーメン構造である。
（ホ）防護塀を防音版とし、カバーを気密な構造とする。
（ヘ）プレートガーダーのウェブは、トラス構造とし、軽量化を図るとともに、車両の有効高さにあわせて調節可能とする構造である
（ト）この構造物を２連並べて築造することにより、４車線のバイパスも築造可能である。〔図−６〕〔図−７〕〔図−８〕に実施例を示した。
（チ）昇降桟橋は〔図−５〕の単層高架橋を組み合わせることにより、いろいろな実施形態が考えられる。
（リ）〔図−９〕にいろいろな実施形態の実施例を示した。
【発明の効果】
【０００７】（イ）１車線を占有するだけで、２車線、４車線のバイパスを構築することができる。
（ロ）切回し用地や、バイパス用地が少なくても、築造可能である。土地の有効利用ができる。
（ハ）現場施工が少ないので、工期を短縮できる。
（ニ）桁などの主要部材が工場製作のため、品質管理や、工程管理が容易である。
（ホ）上下２階建てのトンネルを空中に築造する構造なので、沿道に騒音や排気ガスの影響を少なくできる。
（ト）上下２階建てとすることで、橋桁自体を高剛性の構造とし、桁部材も単層の場合より、少なくなる。
【図面の簡単な説明】
【図−１】単車線昇降桟橋と多層高架橋の側面図である。
【図−２】単車線昇降桟橋と多層高架橋の１階と２階の平面図である。
【図−３】単車線昇降桟橋と多層高架橋のＡ，Ｂ，Ｃ断面図である。
【図−４】多層高架橋の橋桁構造実施例である。
【図−５】単層高架橋桁実施例である。
【図−６】２階建２連築造の実施例である。
【図−７】Ａ−Ａ断面  Ｂ−Ｂ断面  Ｃ−Ｃ断面  Ｄ−Ｄ断面である。
【図−８】昇降桟橋実施正面図である。左図は、２階建２連高架橋への接続昇降桟橋である。右図は、並列４車線の高架橋への接続昇降桟橋である。
【図−９】いろいろな実施形態の実施例である。
【符号の説明】
１、は出口  ２、は入口  ３、は昇降桟橋  ４、は多層高架橋  ５．カバー  ６、は防護塀  ７，２階床版  ８、プレートガーダー橋桁  ９，１階床版  １０、カバープレート  １１、橋脚
【図−１】
2005315042.tif 000003
【図−３】
2005315042.tif 000004
【図−４】
2005315042.tif 000005
【図−５】
2005315042.tif 000006
【図−６】
2005315042.tif 000007
【図−７】
2005315042.tif 000008
【図−８】
2005315042.tif 000009
【図−９】
2005315042.tif 000010